(57)【要約】【課題】アジャスタ管として肉厚の異なる複数の管から選択されたものを使用可能な便器の排水管接続構造及びトイレ設備を提供すること。【解決手段】排水ソケット６において、便鉢側ソケット９は、アジャスタ管１０の一端部が挿入可能なアジャスタ管側挿入部１４の内周面と、アジャスタ管側挿入部１４に挿入されたアジャスタ管１０の一端部が突き当たる内周面小径部１５の内周面とが段部Ｓ１を形成し、排水管側ソケット１１は、アジャスタ管１０の他端部が挿入可能なアジャスタ管側挿入部１６の内周面と、アジャスタ管側挿入部１６に挿入されたアジャスタ管１０の他端部が突き当たる内周面小径部１９の内周面とが段部Ｓ２を形成し、便鉢側ソケット９の段部Ｓ１における段差Ｈ１は第１の値以上であり、排水管側ソケット１１の段部Ｓ２における段差Ｈ２は第１の値よりも小さい第２の値以下であり、アジャスタ管１０は肉厚Ｔが第２の値以上第１の値以下である。【選択図】図３
2018159184.tif 000002
【特許請求の範囲】
【請求項１】
便鉢と排水管とを接続し、前記便鉢から流通する固液混合物を前記排水管へ流通させる便器の排水管接続構造であって、
前記便鉢側に配置される便鉢側接続管と、
前記排水管側に配置される排水管側接続管と、
前記便鉢側接続管と前記排水管側接続管とを繋ぐ外径が一定のアジャスタ管と、を備え、
前記便鉢側接続管は、前記アジャスタ管の一端部が挿入可能である挿入部と、該挿入部の内周面と自身の内周面とが段部を形成し、該挿入部に挿入された前記アジャスタ管の一端部が自身の側部に突き当たる内周面小径部と、を有し、
前記排水管側接続管は、前記アジャスタ管の他端部が挿入可能である挿入部と、該挿入部の内周面と自身の内周面とが段部を形成し、該挿入部に挿入された前記アジャスタ管の他端部が自身の側部に突き当たる内周面小径部と、を有し、
前記便鉢側接続管の段部における段差は、第１の値以上であり、
前記排水管側接続管の段部における段差は、前記第１の値よりも小さい第２の値以下であり、
前記アジャスタ管は、肉厚が前記第２の値以上前記第１の値以下である便器の排水管接続構造。
【請求項２】
前記便鉢側接続管は、前記便鉢の便器排水管に接続される便鉢側排水ソケットであり、
前記排水管側接続管は、前記排水管が接続される排水管側排水ソケットであり、
前記アジャスタ管は、前記便鉢側排水ソケットと前記排水管側排水ソケットとを繋ぐアジャスタ管であり、
前記アジャスタ管は、略水平に配置される請求項１に記載の便器の排水管接続構造。
【請求項３】
前記第１の値は、４．１ｍｍ以上６．６ｍｍ以下であり、
前記第２の値は、１．８ｍｍ以上３．１ｍｍ以下である請求項１又は２に記載の便器の排水管接続構造。
【請求項４】
前記便鉢側接続管の内周面小径部は、前記便鉢側接続管の前記挿入部と反対側の側部の少なくとも一部が面取りされた形状を有する請求項１〜３のいずれかに記載の便器の排水管接続構造。
【請求項５】
請求項１〜４のいずれかに記載の便器の排水管接続構造を備えるトイレ設備。
【発明の詳細な説明】
【技術分野】
【０００１】
本発明は、便器の排水管接続構造及びこれを備えるトイレ設備に関する。
【背景技術】
【０００２】
従来、便器装置は便器本体を備えており、便器本体は、便鉢と、便鉢と排水管とを接続する排水ソケット等の排水管接続構造と、を有している（例えば、特許文献１参照）。排水ソケットは、便鉢に接続される便鉢側ソケットと、排水管に接続される排水管側ソケットと、これら便鉢側ソケットと排水管側ソケットとを繋ぐアジャスタ管と、を有している。アジャスタ管は、便器装置の設置の際に、便鉢と排水管との位置関係に応じて所望の長さに切断して使用される。
【先行技術文献】
【特許文献】
【０００３】
【特許文献１】特開２０１６−１７６２５５号公報
【発明の概要】
【発明が解決しようとする課題】
【０００４】
しかしながら、アジャスタ管は専用部品であったためアジャスタ管の切断位置を間違えた場合には、新たなアジャスタ管を都度メーカーに手配する必要があり、工期に遅れが生じることがあった。また、切断後の切れ端は、そのまま廃棄物となっていた。このため、排水管として一般的に市販されていて入手が容易な硬質ポリ塩化ビニル管（塩ビ管）を、アジャスタ管として使用できることが望まれる。
【０００５】
ところが、塩ビ管は、肉厚の異なる複数の規格のもの（ＶＰ管やＶＵ管）があるため、選択される種類によっては、流路の内面に段差が形成されることがある。流路の内面に形成された段差は、固体混合物である汚物のうちの固体分や紙の流れを阻害するため、汚物や紙は、段差に引っ掛かり、停滞して流れなくなるおそれがある。近年の節水化に伴い洗浄水量が減少したことにより、汚物や紙を搬送する搬送性能が低下したため、汚物や紙が確実に搬送されることの重要度が増しており、節水化しても搬送性能が低下しないようにするには、勢いを殺さずに汚物や紙を排出することが必要となる。
【０００６】
本発明は上記に鑑みてなされたものであり、その目的は、アジャスタ管として肉厚の異なる複数の管の中から選択されたものを使用可能な便器の排水管接続構造及びこれを備えるトイレ設備を提供することにある。
【課題を解決するための手段】
【０００７】
上記目的を達成するため本発明は、便鉢（例えば、後述の便鉢４）と排水管（例えば、後述の排水管２０）とを接続し、前記便鉢から流通する固液混合物を前記排水管へ流通させる便器の排水管接続構造（例えば、後述の排水ソケット６）であって、前記便鉢側に配置される便鉢側接続管（例えば、後述の便鉢側ソケット９）と、前記排水管側に配置される排水管側接続管（例えば、後述の排水管側ソケット１１）と、前記便鉢側接続管と前記排水管側接続管とを繋ぐ外径（例えば、後述の外径Ｄ２１）が一定のアジャスタ管（例えば、後述のアジャスタ管１０）と、を備え、前記便鉢側接続管は、前記アジャスタ管の一端部が挿入可能である挿入部（例えば、後述のアジャスタ管側挿入部１４）と、該挿入部の内周面と自身の内周面とが段部（例えば、後述の段部Ｓ１）を形成し、該挿入部に挿入された前記アジャスタ管の一端部が自身の側部に突き当たる内周面小径部（例えば、後述の内周面小径部１５）と、を有し、前記排水管側接続管は、前記アジャスタ管の他端部が挿入可能である挿入部（例えば、後述のアジャスタ管側挿入部１６）と、該挿入部の内周面と自身の内周面とが段部（例えば、後述の段部Ｓ２）を形成し、該挿入部に挿入された前記アジャスタ管の他端部が自身の側部に突き当たる内周面小径部（例えば、後述の内周面小径部１９）と、を有し、前記便鉢側接続管の段部における段差（例えば、後述の段差Ｈ１）は、第１の値（例えば、後述の第１の値）以上であり、前記排水管側接続管の段部における段差（例えば、後述の段差Ｈ２）は、前記第１の値よりも小さい第２の値（例えば、後述の第２の値）以下であり、前記アジャスタ管は、肉厚（例えば、後述の肉厚Ｔ）が前記第２の値以上前記第１の値以下である便器の排水管接続構造（例えば、後述の排水ソケット６）を提供する。
【０００８】
前記便鉢側接続管は、前記便鉢の便器排水管（例えば、後述の便器排水管の端部７）に接続される便鉢側排水ソケット（例えば、後述の便鉢側ソケット９）であり、前記排水管側接続管は、前記排水管が接続される排水管側排水ソケット（例えば、後述の排水管側ソケット１１）であり、前記アジャスタ管は、前記便鉢側排水ソケットと前記排水管側排水ソケットとを繋ぐアジャスタ管（例えば、後述のアジャスタ管１０）であり、前記アジャスタ管は、略水平に配置されることが好ましい。
【０００９】
また、前記第１の値は、４．１ｍｍ以上６．６ｍｍ以下であり、前記第２の値は、１．８ｍｍ以上３．１ｍｍ以下であることが好ましい。
【００１０】
また、前記便鉢側ソケットの内周面小径部は、前記便鉢側ソケットの前記挿入部と反対側の側部の少なくとも一部が面取りされた形状を有することが好ましい。
【００１１】
また、本発明は、上記いずれかに記載の便器の排水管接続構造を備えるトイレ設備（例えば、後述のトイレ設備１）を提供する。
【発明の効果】
【００１２】
本発明によれば、アジャスタ管として肉厚の異なる複数の管の中から選択されたものを使用可能な便器の排水管接続構造及びこれを備えるトイレ設備を提供できる。
【図面の簡単な説明】
【００１３】
【図１】本発明の一実施形態に係る排水ソケットを備えるトイレ設備の断面図である。
【図２】本発明の一実施形態に係る排水ソケットの断面図である。
【図３】本発明の一実施形態に係る排水ソケットの分解断面図である。
【発明を実施するための形態】
【００１４】
以下、本発明の一実施形態について、図１〜図３を参照しながら説明する。なお、以下の説明においては、便器装置２の便座に座った使用者から見た場合の前後左右方向を基準とする。
【００１５】
図１は、本発明の一実施形態に係る排水ソケット６を備えるトイレ設備１の断面図である。図２は、排水ソケット６の断面図である。図３は、排水ソケット６の分解断面図である。
【００１６】
図１に示すように、トイレ設備１は、便器装置２を備える。便器装置２は、タンク装置３と、便鉢４と、便座及び便蓋（いずれも不図示）と、防露材５と、便器の排水管接続構造としての排水ソケット６と、を備える。
【００１７】
タンク装置３は、給水経路（不図示）から供給される水を貯留し、貯留した水を洗浄時に洗浄水として供給する。
【００１８】
便鉢４は、下流側の便器排水管の端部７に排水口８を有し、端部７において排水ソケット６に接続され、この排水ソケット６を介して床下の排水管２０に繋がっている。この便鉢４は、固体混合物である汚物や紙を受け、タンク装置３から供給された洗浄水と共に汚物や紙を排水管２０に向けて排出する。
【００１９】
便座及び便蓋は、便鉢４の上部に配置され、便鉢４に対して開閉可能に取り付けられる。
防露材５は、便鉢４の下方を覆うように設けられ、便鉢４の外表面における結露を防止する。
【００２０】
排水ソケット６は、防露材５の下方において、便鉢４と排水管２０とを接続し、便鉢４から流通する汚物や紙を排水管２０へ流通させる。
【００２１】
図１〜図３に示すように、排水ソケット６は、便鉢側ソケット９と、アジャスタ管１０と、排水管側ソケット１１と、を備える。
【００２２】
便鉢側ソケット９は、便鉢側挿入部１２と、流路部１３と、アジャスタ管側挿入部１４と、を有し、硬質ポリ塩化ビニル（塩ビ）により一体成形されて構成されている。
【００２３】
便鉢側挿入部１２は、上方に開口する円形状の挿入口であり、便鉢４の便器排水管の端部７が挿入されることで便鉢４が接続されると共に、流路部１３に連続している。流路部１３は、断面円形状で、且つ鉛直方向から水平方向に湾曲した形状を有している。流路部１３の下流側の端部は、内周面小径部１５を有し、アジャスタ管側挿入部１４に連続している。この内周面小径部１５により、便鉢側ソケット９の内周面に内側に突出する段部Ｓ１が形成される。
【００２４】
アジャスタ管側挿入部１４は、前方に開口を有する円筒状の挿入口であり、アジャスタ管１０の一端部が挿入される。このアジャスタ管側挿入部１４は、内径Ｄ１１を有している。アジャスタ管側挿入部１４の内径Ｄ１１の値は、アジャスタ管１０の外径Ｄ２１の値と同一である。
【００２５】
内周面小径部１５は、アジャスタ管側挿入部１４の内径Ｄ１１に対して縮径した内径Ｄ１２を有している。上述したように、内周面小径部１５の内周面はアジャスタ管側挿入部１４の内周面と段部Ｓ１を形成し、アジャスタ管側挿入部１４に挿入されたアジャスタ管１０の一端部が自身の側部に突き当たる。なお、アジャスタ管１０の一端部が突き当たる内周面小径部１５の側部は、周方向の少なくとも一部に設けられていればよく、本実施形態では、全周に亘って連続して当該側部が設けられている。
【００２６】
ここで、図２の（ｂ）は、（ａ）中の２点鎖線で囲まれた領域の拡大図である。この図２の（ｂ）に示される通り、内周面小径部１５は、アジャスタ管側挿入部１４と反対側の側部が面取りされた形状を有している。なお、この面取り形状（曲面形状）は、当該側部のうち、周方向の少なくとも一部に形成されていればよく、本実施形態では、流路部１３とアジャスタ管側挿入部１４とが略直角に接続され且つ内側に突出した段部Ｓ１が形成される部位に面取り形状が形成されている。
【００２７】
アジャスタ管側挿入部１４の内径Ｄ１１と、内周面小径部１５の内径Ｄ１２との差の１／２の値、内周面小径部１５の内周面とアジャスタ管側挿入部１４の内周面とが形成する段部Ｓ１における段差Ｈ１は、第１の値以上である。ここで、第１の値は、４．１ｍｍ以上６．６ｍｍ以下であることが好ましく、４．１ｍｍであることがより好ましい。これは、後述する使用可能なアジャスタ管１０（塩ビ管）のうち、より肉厚なＶＰ管の肉厚の範囲に対応したものである。
【００２８】
アジャスタ管１０は、便鉢側ソケット９と排水管側ソケット１１とを繋ぐ硬質ポリ塩化ビニル管（塩ビ管）であり、略水平に配置される。このアジャスタ管１０としては、いずれもＪＩＳＫ６７４１で規定されている、ＶＰ５０（呼び径５０ｍｍ、肉厚４．１ｍｍ）、ＶＰ６５（呼び径６５ｍｍ、肉厚４．１ｍｍ）、ＶＰ７５（呼び径７５ｍｍ、肉厚５．５ｍｍ）、ＶＰ１００（呼び径１００ｍｍ、肉厚６．６ｍｍ）、ＶＵ５０（呼び径５０ｍｍ、肉厚１．８ｍｍ）、ＶＵ６５（呼び径６５ｍｍ、肉厚２．２ｍｍ）、ＶＵ７５（呼び径７５ｍｍ、肉厚２．７ｍｍ）、ＶＵ１００（呼び径１００ｍｍ、肉厚３．１ｍｍ）のうちのいずれかが選択される。これは、ＪＩＳにより大便器の排管は直径４４ｍｍ以上の球を通過可能な径を有することが規定されていることと、上述した防露材５により便鉢４の下方のスペースがより制限されること、によって使用可能な塩ビ管が限定されることによる。従って、上記列挙した塩ビ管のうちのいずれかが、所望の長さに切断されてアジャスタ管１０として用いられる。
【００２９】
アジャスタ管１０は、外径Ｄ２１、内径Ｄ２２及び肉厚Ｔのそれぞれが一定である。アジャスタ管１０の肉厚Ｔは、第１の値よりも小さい第２の値以上、第１の値以下である。第２の値は、１．８ｍｍ以上３．１ｍｍ以下であることが好ましく、２．２ｍｍであることがより好ましい。これは、上述した使用可能なアジャスタ管１０（塩ビ管）のうち、より肉薄なＶＵ管の肉厚の範囲に対応したものである。
【００３０】
排水管側ソケット１１は、アジャスタ管側挿入部１６と、流路部１７と、排水管側挿入部１８と、を有し、硬質ポリ塩化ビニル（塩ビ）により一体成形されて構成される。
【００３１】
アジャスタ管側挿入部１６は、後方に開口を有する円筒状の挿入口であり、アジャスタ管１０の他端部が挿入される。このアジャスタ管側挿入部１６は、内径Ｄ３１を有している。アジャスタ管側挿入部１６の内径Ｄ３１の値は、アジャスタ管１０の外径Ｄ２１の値と同一である。
【００３２】
流路部１７は、断面円形状で且つ水平方向から鉛直下方に向かって屈曲した形状を有している。流路部１７の上流側の端部は、内周面小径部１９を有し、アジャスタ管側挿入部１６に連続している。排水管側挿入部１８は、下方に開口する円形状の挿入口であり、床下の排水管２０の端部が挿入されることで排水管２０が接続されると共に、流路部１７に連続している。
【００３３】
内周面小径部１９は、アジャスタ管側挿入部１６の内径Ｄ３１に対して縮径した内径Ｄ３２を有している。内周面小径部１９の内周面は、アジャスタ管側挿入部１６の内周面と段部Ｓ２を形成し、アジャスタ管側挿入部１６に挿入されたアジャスタ管１０の他端部が自身の側部に突き当たる。なお、アジャスタ管１０の他端部が突き当たる内周面小径部１９の側部は、周方向の少なくとも一部に設けられていればよく、本実施形態では、全周に亘って連続して当該側部が設けられている。
【００３４】
アジャスタ管側挿入部１６の内径Ｄ３１と、内周面小径部１９の内径Ｄ３２との差の１／２の値、内周面小径部１９の内周面とアジャスタ管側挿入部１６の内周面とが形成する段部Ｓ２における段差Ｈ２は、第２の値以下である。
【００３５】
次に、図１を用いて、トイレ設備１における汚物や紙等の流れを説明する。
トイレ設備１における便器装置２の使用者が便器装置２を使用し、洗浄動作が開始されると、洗浄水はタンク装置３から便鉢４の内部に吐出される。そして、吐出された洗浄水は、汚物や紙等と共に排水口８を介して便鉢４から便器排水管に排出された後、排水ソケット６を経由して床下の排水管２０に流入する。
【００３６】
排水ソケット６は、構成部品の接続部分において、上流側から下流側に向けて段階的に拡径する構造を有している。具体的には、排水ソケット６は、アジャスタ管１０を中心として、上流側から下流側に向けて、便鉢側ソケット９の内周面小径部１５、アジャスタ管１０、排水管側ソケット１１の内周面小径部１９の順に連続する構造を有しており、内径は、Ｄ１２、Ｄ２２、Ｄ３２の順に拡径している。このため、排水ソケット６を流れる汚物や紙等は、構成部品の接続部分において引っ掛かり難く、排水ソケット６を通して床下の排水管２０に向かってスムーズに流通される。
【００３７】
以上説明した本実施形態に係る排水ソケット６によれば、以下の効果が奏される。
上述した通り本実施形態では、排水ソケット６を、便鉢４の便器排水管の端部７に接続される便鉢側ソケット９と、排水管２０が接続される排水管側ソケット１１と、便鉢側ソケット９と排水管側ソケット１１とを繋ぐ外径Ｄ２１が一定のアジャスタ管１０を含んで構成した。また、便鉢側ソケット９を、アジャスタ管１０の一端部が挿入可能であるアジャスタ管側挿入部１４と、当該アジャスタ管側挿入部１４の内周面と自身の内周面とが段部Ｓ１を形成し且つ当該アジャスタ管側挿入部１４に挿入されたアジャスタ管１０の一端部が自身の側部に突き当たる内周面小径部１５を含んで構成した。また、排水管側ソケット１１を、アジャスタ管１０の他端部が挿入可能であるアジャスタ管側挿入部１６と、当該アジャスタ管側挿入部１６の内周面と自身の内周面とが段部Ｓ２を形成し且つ当該アジャスタ管側挿入部１６に挿入されたアジャスタ管１０の他端部が自身の側部に突き当たる内周面小径部１９を含んで構成した。さらには、便鉢側ソケット９の段部Ｓ１における段差Ｈ１を第１の値以上とし、排水管側ソケット１１の段部Ｓ２における段差Ｈ２を第１の値よりも小さい第２の値以下とし、アジャスタ管１０の肉厚Ｔを第２の値以上第１の値以下とした。
これにより、アジャスタ管１０として肉厚Ｔの異なる複数の管の中から選択されたものを使用した場合であっても、上流側から下流側に向けて段々と拡径する構造を有することになり、排水ソケット６を流れる汚物や紙等は、便鉢側ソケット９、アジャスタ管１０及び排水管側ソケット１１の接続部分において引っ掛かり難く、排水ソケット６を通して床下の排水管２０に向かってスムーズに排出することができる。即ち、一般的に市販されていて入手が容易であり、所定の範囲の肉厚を有する複数の種類の硬質ポリ塩化ビニル管（塩ビ管）を、アジャスタ管として使用できる。
【００３８】
また本実施形態では、第１の値を４．１ｍｍ以上６．６ｍｍ以下とし、第２の値を１．８ｍｍ以上３．１ｍｍ以下とした。
上述した通り、ＪＩＳにより大便器の排管は直径４４ｍｍ以上の球を通過可能な径を有することが規定されていることと、防露材５により便鉢４の下方のスペースがより制限されることによって、アジャスタ管１０として使用可能な市販の塩ビ管は限定される。具体的には、アジャスタ管１０としては、いずれもＪＩＳＫ６７４１で規定されている、ＶＰ５０（呼び径５０ｍｍ、肉厚４．１ｍｍ）、ＶＰ６５（呼び径６５ｍｍ、肉厚４．１ｍｍ）、ＶＰ７５（呼び径７５ｍｍ、肉厚５．５ｍｍ）、ＶＰ１００（呼び径１００ｍｍ、肉厚６．６ｍｍ）、ＶＵ５０（呼び径５０ｍｍ、肉厚１．８ｍｍ）、ＶＵ６５（呼び径６５ｍｍ、肉厚２．２ｍｍ）、ＶＵ７５（呼び径７５ｍｍ、肉厚２．７ｍｍ）、ＶＵ１００（呼び径１００ｍｍ、肉厚３．１ｍｍ）のうちのいずれかが選択される。
この点、本実施形態によれば、第１の値をより肉厚なＶＰ管の肉厚範囲に設定すると共に、第２の値をより肉薄なＶＵ管の肉厚範囲に設定したため、便鉢側ソケット９の段部Ｓ１における段差Ｈ１をより肉厚なＶＰ管の肉厚以上にできると共に、排水管側ソケット１１の段部Ｓ２における段差Ｈ２をＶＵ管の肉厚以下にできる。即ち、本実施形態によれば、上流側から下流側に向けて段々と拡径する構造を確実に構成することができ、上述の効果が確実に奏される。
【００３９】
また本実施形態では、便鉢側ソケット９の内周面小径部１５を、便鉢側ソケット９のアジャスタ管側挿入部１４と反対側の側部の少なくとも一部が面取りされた形状とした。
これにより、便鉢４の便器排水管から便鉢側ソケット９内に導かれた汚物や紙が、内周面から内側に突出した段部Ｓ１を構成する内周面小径部１５に接触した場合であっても、当該内周面小径部１５が面取りされているため引っ掛かりが抑制され、排水管に向かってスムーズに排出することができる。
【００４０】
以上、本発明の一実施形態について説明したが、本発明は、上述した実施形態に制限されるものではなく、適宜変更が可能である。
上記実施形態では、本発明に係る便器の排水管接続構造を排水ソケットに適用したが、これに限定されない。例えば、本発明に係る便器の排水管接続構造を、排水ソケットの下流に接続される排水管に適用してもよい。
【符号の説明】
【００４１】
１  トイレ設備
４  便鉢
６  排水ソケット（排水管接続構造）
９  便鉢側ソケット（便鉢側接続管）
１０  アジャスタ管
１１  排水管側ソケット（排水管側接続管）
１４  アジャスタ管側挿入部（挿入部）
１５  内周面小径部
１６  アジャスタ管側挿入部（挿入部）
１９  内周面小径部
２０  排水管
Ｓ１，Ｓ２  段部
Ｈ１，Ｈ２  段差
Ｄ２１  外径
Ｔ  肉厚
【図１】
2018159184.tif 000003
【図２】
2018159184.tif 000004
【図３】
2018159184.tif 000005